(57)【特許請求の範囲】
【請求項１】
陳列棚に載置される情報表示体であり、切欠空間部(18)を有する殻体(19)を構成するベース本体(20)と、目視可能な情報(21)を表示した情報シート(22)とから成り、殻体(19)の切欠空間部(18)を情報シート(22)により閉塞せしめることにより、全体として中空の箱形に形成されており、
前記ベース本体(20)は、背壁(23)から正面側に突出する相互に平行な上壁(25a)と下壁(25b)を設けることにより、上壁と下壁の間に切欠空間部(18)を有する殻体(19)を構成しており、上壁(25a)と下壁(25b)は、それぞれ自由端縁を円弧状に形成されると共に、左右側縁を縁取る直線縁壁(30a)(30a)と自由端縁を縁取る弧状縁壁(30b)を設け、該直線縁壁(30a)(30a)の内側に沿う溝(31)を形成しており、
前記情報シート(22)は、剛性のある可撓性の板状シートにより構成され、ベース本体(20)の上壁(25a)及び下壁(25b)における弧状縁壁(30b)に対応する正面シート部(22a)と直線縁壁(30a)(30a)に対応する左右側面シート部(22b)(22b)を備えており、
情報シート(22)の左右側面シート部(22b)(22b)の上下縁を、ベース本体(20)における上壁(25a)及び下壁(25b)の溝(31)(31)に嵌入せしめた状態で、正面シート部(22a)が弾発復元力により弧状縁壁(30b)(30b)に沿わしめられて成ることを特徴とする陳列棚における情報表示体。
【請求項２】
ベース本体(20)は、背壁(23)の両端に折曲自在なヒンジ手段(24a)(24b)を介して上壁(25a)と下壁(25b)を延設しており、ヒンジ手段の折曲を介して上壁及び下壁を背壁に対してほぼ直交せしめたとき、上壁(25a)及び下壁(25b)のそれぞれを背壁(23)に対して係脱自在に固定せしめる固定支持手段(33)(33)を設けて成ることを特徴とする請求項１に記載の陳列棚における情報表示体。
【請求項３】
情報表示体(17)を陳列棚(10)の棚板部(13)に載置した状態で、該情報表示体(17)を陳列棚(10)の背板部(14)に係止する係止固定手段(45)を備えた構成であり、係止固定手段(45)は、情報表示体(17)の殻体(19)を構成するベース本体(20)の背壁(23)に着脱自在に取付けられるブラケット部材(46)と、該ブラケット部材(46)と協働して陳列棚(10)の背板部(14)を挟持するクランプ部材(47)とから構成されて成ることを特徴とする請求項１又は２に記載の陳列棚における情報表示体。
【発明の詳細な説明】
【０００１】
【発明の属する技術分野】
本発明は、陳列棚の棚板部に載置せしめることにより使用される情報表示体に関する。
【０００２】
【従来の技術】
従来、例えば、レンタルビデオショップにおいて、ケース入りビデオカセットの商品を陳列棚に展示する際、陳列棚の上に商品を格納ソフトのカテゴリーないしジャンル別に分けることにより横並び列設状に載置せしめることが行われている。このような展示陳列方法は、その他、ケース入りＣＤやＤＶＤ等の商品についても同様であり、更に、書籍等の商品においても同様とされている。
【０００３】
そこで、店舗内においてジャンル別に陳列された商品を顧客が探し出す際の便宜のため、陳列棚に、商品と共に箱体を載置し、該箱体に表示された情報を顧客に知らしめるように工夫されている。
【０００４】
図８に基づいて、従来の情報表示体を説明すると、図８（Ａ）に示すように、箱状のベース本体１は、陳列棚に載置された状態で少なくとも正面に位置する正面壁２と左右側面に位置する左右側面壁３、３を備えた概ね直方体形状に形成されており、上述のようなジャンル情報等を目視可能に表示した情報シート４を前記正面壁２を含んで左右側面壁３、３に跨がり添設している。尚、情報シート４には、正面壁２に位置する正面表示情報５と、左右側面壁３、３に位置する側面表示情報６が施されており、ジャンル別に分けて陳列された商品Ｍの傍らにベース本体１を設置することにより、情報表示体として機能する。
【０００５】
情報シート４をベース本体１の外側面に添設するため、ベース本体１を構成する箱体には、正面壁２を含んで左右側面壁３、３に跨がる透明のカバーシート７が設けられ、カバーシート７の両側端縁を左右側面壁３、３の端縁に溶着８せしめ、ベース本体１の壁２及び３、３とカバーシート７の間に情報シート４を挿入できるように構成している。
【０００６】
ベース本体１を構成する箱体は、図８（Ｂ）に示すように、正面壁２を挟んで左右側面壁３、３を開閉できるように構成されており、左右側面壁３、３を開くと、カバーシート７が弛むので、これにより情報シート４の挿脱を可能ならしめる。そして、情報シート４を挿入した状態で、左右側面壁３、３を閉じると、カバーシート７が緊張することにより、情報シート４を保持する。
【０００７】
【発明が解決しようとする課題】
従来技術において、カバーシート７は、左右側面壁３、３の開閉により緊張と弛みを可能にする必要があるため、ビニール系等のような柔軟な合成樹脂シートにより形成されている。このため、店舗における繰り返し使用により、カバーシート７は、容易に損傷し、特に、表面に多数の微小な傷を容易に形成されるので、曇り状となり透明度を低下する。
【０００８】
そこで、このように劣化したカバーシート７は、店舗での使用に耐え得ず、新品と交換すべき必要があるが、上述のようにカバーシート７はベース本体１に溶着８されているため、カバーシート７だけを交換することができず、ベース本体１の全体を廃棄し、交換しなければならないのが現状である。
【０００９】
ところが、合成樹脂により成形された箱体を廃棄することは、廃棄物処理に関する産業上の問題があり、また、利用者においても、箱体を全体として交換するため、コスト上の問題がある。
【００１０】
更には、従来技術の場合、情報表示体は、ベース本体１と、これに溶着されたカバーシート７と、情報シート４とから構成されているため、部品点数が多く、コスト高であるという問題がある。
【００１１】
しかも、ベース本体１は、正面壁２及び左右側面壁３、３を含む全体を完全中空の箱形とするものであるため、成形のための原材料、即ち、合成樹脂量を削減することが困難であり、原価コストを低減することができない。
【００１２】
【課題を解決するための手段】
本発明は、上記課題を解決した陳列棚における情報表示体を提供するものである。
【００１３】
そこで、本発明が手段として構成したところは、陳列棚に載置される情報表示体であり、切欠空間部を有する殻体を構成するベース本体と、目視可能な情報を表示した情報シートとから成り、殻体の切欠空間部を情報シートにより閉塞せしめることにより、全体として中空の箱形に形成されており、前記ベース本体は、背壁から正面側に突出する相互に平行な上壁と下壁を設けることにより、上壁と下壁の間に切欠空間部を有する殻体を構成しており、上壁と下壁は、それぞれ自由端縁を円弧状に形成されると共に、左右側縁を縁取る直線縁壁と自由端縁を縁取る弧状縁壁を設け、該直線縁壁の内側に沿う溝を形成しており、前記情報シートは、剛性のある可撓性の板状シートにより構成され、ベース本体の上壁及び下壁における弧状縁壁に対応する正面シート部と直線縁壁に対応する左右側面シート部を備えており、情報シートの左右側面シート部の上下縁を、ベース本体における上壁及び下壁の溝に嵌入せしめた状態で、正面シート部が弾発復元力により弧状縁壁に沿わしめられて成る点にある。
【００１５】
本発明の実施形態において、背壁の両端に折曲自在なヒンジ手段を介して上壁と下壁を延設しており、ヒンジ手段の折曲を介して上壁及び下壁を背壁に対してほぼ直交せしめたとき、上壁及び下壁のそれぞれを背壁に対して係脱自在に固定せしめる固定支持手段を設けている。
【００１６】
更に、好ましい実施形態において、情報表示体は、陳列棚の棚板部に載置した状態で、該情報表示体を陳列棚の背板部に係止する係止固定手段を備えており、係止固定手段は、情報表示体の殻体を構成するベース本体の背壁に着脱自在に取付けられるブラケット部材と、該ブラケット部材と協働して陳列棚の背板部を挟持するクランプ部材とから構成されている。
【００１７】
【発明の実施の形態】
以下図面に基づいて本発明の実施形態を詳述する。
【００１８】
（陳列棚の構成）
図１に示すように、陳列棚１０は、左右の支柱１１、１１に棚手段１２を架設しており、該棚手段１２は、ほぼ水平な棚板部１３と、該棚板部の後縁から起立する背板部１４により構成されている。図例の場合、棚板部１３と背板部１４を一体に構成しているが、別体に形成した棚板部１３と背板部１４を連設せしめる構成としても良い。
【００１９】
図示の実施形態において、支柱１１は、正面壁に、上下に間隔をあけて列設された孔群から成る支持手段１５ａ、１５ｂを左右に平行に設けており、棚手段１２の背板部１４の両側縁に設けた耳片１４ａ、１４ｂを支柱１１の正面壁にピン１６を介して着脱自在に取付けられる。即ち、背板部１４の一方（図示左側）の耳片１４ａは、一方（図示左側）の支柱１１の支持手段１５ｂにピン１６を介して取付けられ、背板部１４の他方（図示右側）の耳片１４ｂは、他方（図示右側）の支柱１１の支持手段１５ａにピン１６を介して取付けられる。この際、背板部１４は、上縁を背面側に断面ほぼＬ形に折返された折返部１４ｃを設けており、該折返部１４ｃを一対の支柱１１、１１の間に嵌入せしめられる。
【００２０】
（情報表示体の概略的構成）
図示のように、棚板部１３には、ケース入りビデオカセット等の商品Ｍがジャンル別に整理された状態で横並び列設状に載置されると共に、当該ジャンル情報等を目視可能に表示した情報表示体１７が載置される。
【００２１】
情報表示体１７は、図５（Ａ）に示すような切欠空間部１８を有する殻体１９を構成するベース本体２０と、図５（Ｂ）に示すような目視可能な情報２１を表示した情報シート２２とから成り、図１ないし図３に示すように、殻体１９の切欠空間部１８を情報シート２２により閉塞せしめることにより、全体として中空の箱形に形成されている。
【００２２】
（ベース本体の構成）
ベース本体２０は、図４に示すように、所定幅を有して上下に延びるほぼ帯状の背壁２３と、背壁２３の上下方向の両端に折曲自在な薄肉ヒンジ等のヒンジ手段２４ａ、２４ｂを介して上壁２５ａと下壁２５ｂを延設している。
【００２３】
背壁２３は、両側縁に沿って正面方向に張り出す側壁２６、２６を設けており、側壁２６、２６の内側に沿って溝２７、２７を形成するように案内リブ２８、２８を突設せしめると共に、案内リブ２８、２８の内側に位置する補強リブ２９、２９を設けている。
【００２４】
上壁２５ａ及び下壁２５ｂは、背壁２３を挟んで対称形に形成され、それぞれ、周縁を縁取る縁壁３０を設けている。この際、上壁２５ａ及び下壁２５ｂはそれぞれ自由端縁を円弧状に形成されており、従って、縁壁３０は、上壁２５ａ及び下壁２５ｂの左右側縁に沿って延びる直線縁壁３０ａ、３０ａと、自由端縁に沿って延びる弧状縁壁３０ｂを構成する。そして、上壁２５ａ及び下壁２５ｂのそれぞれは、直線縁壁３０ａ、３０ａの内側に沿って溝３１、３１を形成するように案内リブ３２、３２を突設せしめている。
【００２５】
ヒンジ手段２４ａ、２４ｂの折曲を介して上壁２５ａ及び下壁２５ｂを背壁２３に対してほぼ直交せしめたとき、上壁２５ａ及び下壁２５ｂを背壁２３に対して係脱自在に固定せしめる固定支持手段３３が設けられている。図例の場合、固定支持手段３３は、上壁２５ａ及び下壁２５ｂの幅を二分する幅方向中心線に沿って設けられた係止リブ３４と、背壁２３に設けられた挟持爪３５とから構成されており、ヒンジ手段２４ａ、２４ｂを支点として上壁２５ａ及び下壁２５ｂを回動せしめ、背壁２３に対してほぼ直交せしめたとき、図５（Ａ）に示すように係止リブ３４の突起３４ａが挟持爪３５に嵌着されるように構成している。尚、この状態で、係止リブ３４の端縁３４ｂが背壁２３に当接し、背壁２３に対する上壁２５ａ及び下壁２５ｂの角度を直角に位置決めする。
【００２６】
上壁２５ａ及び下壁２５ｂを背壁２３に対して直交せしめたとき、背壁２３の溝２７、２７に対して、上壁２５ａ及び下壁２５ｂの溝３１、３１が同一の平面（鉛直面）に位置せしめられるように構成されている。このため、図４に示すように、側壁２６、２６の外側面に上壁２５ａ及び下壁２５ｂの直線縁壁３０ａ、３０ａを重ね合わせた状態で、相互に外側面を面一ならしめるように、それぞれの重なり合い部分に薄肉部を形成している。
【００２７】
更に、図４（Ｂ）に示すように、背壁２３は、幅を二分する幅方向中心線を挟んで左右に振り分けられた一対のスリット３６、３６を上下方向に延設し、各スリット３６の中途部（図例の場合、背壁２３の上下方向中央部）に位置して、該スリット３６の幅を拡大せしめた孔３７、３７を上下に間隔をあけて開設している。
【００２８】
（情報シートの構成）
情報シート２２は、図５（Ｂ）に示すように、表示シート３８の表裏両面を一対の透明又は半透明の合成樹脂製のラミネートシート３９により被覆すると共にサンドイッチ状に一体化せしめることにより構成されている。
【００２９】
表示シート３８は、矩形（好ましくは長方形）の紙又は合成紙から成り、その表面に対して印刷等により、ベース本体２０の正面に位置せしめられる正面表示情報２１ａと、左右側面に位置せしめられる左右側面表示情報２１ｂ、２１ｂを設けており、正面表示情報２１ａと左右側面表示情報２１ｂ、２１ｂの間に境界部４０、４０を有する。
【００３０】
一対とされた二枚のラミネートシート３９は、従来のカバーシート７のような軟質の合成樹脂よりも比較的硬く可撓性を有するポリプロピレンやポリエチレン等の合成樹脂から成り、表示シート３８を挟んでサンドイッチ状に溶着一体化されると共に、表裏のラミネートシート３９のうち少なくとも一方のシート及び／又は表示シート３８に対して、前記境界部４０、４０に合致する折曲ガイド溝４１を設けている。折曲ガイド溝４１は、ラミネートシート３９及び／又は表示シート３８の表面を治具の尖鋭な先端により線引きした一直線状の溝や、断続的な線状の溝により形成することができるが、その他、ミシン目により形成しても良く、更にはラミネートシート３９及び／又は表示シート３８を断面Ｖ形に折曲することで折曲癖を形成した折線により構成しても良い。
【００３１】
そこで、情報シート２２は、図５（Ｂ）に実線で示すように、折曲ガイド溝４１、４１を介して折曲を容易とされている。折曲ガイド溝４１、４１は、ベース本体２０の上壁２５ａ及び下壁２５ｂにおける直線縁壁３０ａ、３０ａと弧状縁壁３０ｂの境界部分に位置するように設けられており、折曲ガイド溝４１、４１を介して折曲されたとき、正面に位置する正面シート部２２ａと、左右側面に位置する左右側面シート部２２ｂ、２２ｂを形成する。
【００３２】
このように情報シート２２は、比較的硬質とされた可撓性の合成樹脂から成るラミネートシート３９を表示シート３８の表裏両面に溶着一体化することにより、全体として更に硬化せしめられた剛性のある可撓性の板状シートを構成するので、情報シート２２の上下縁を、ベース本体２０における上壁２５ａ及び下壁２５ｂの溝３１、３１に嵌入せしめ、両側縁を、背壁２３の溝２７、２７に嵌入せしめた状態で、図２に示すように、正面シート部２２ａが弾発復元力により上壁２５ａ及び下壁２５ｂの弧状縁壁３０ｂに沿わしめられる。
【００３３】
情報シート２２をベース本体２０に取付けるに際しては、例えば、図４に示すような展開状態とされたベース本体２０の上壁２５ａ及び下壁２５ｂのうち、一方（本例では下壁２５ｂ）を背壁２３に対して直交するように折曲すると共に、背壁２３に対して固定支持手段３３により固定せしめ、該下壁２５ｂの溝３１、３１に情報シート２２の下縁を嵌入せしめる。このとき、情報シート２２は、弾発復元力により展開方向に付勢され、解放された上縁を大きく開くように姿勢を偏位するが、前述のように折曲ガイド溝４１、４１を介して予め折曲しておくことにより、上縁の開き具合が小さくなるので、作業が容易となる。
【００３４】
そこで、情報シート２２の下縁を下壁２５ｂの溝３１、３１に保持せしめた状態で、他方の壁（本例では上壁２５ａ）を背壁２３に対して直交するように折曲せしめ、情報シート２２の上縁を上壁２５ａの溝３１、３１に嵌入せしめながら上壁２５ａを背壁２３に対して固定支持手段３３により固定すれば、情報表示体１７が完成する。この場合も、情報シート２２を折曲ガイド溝４１、４１により予め折曲しておくことにより、上縁を上壁２５ａの溝３１、３１に嵌入せしめる作業が容易となる。
【００３５】
完成した情報シート２２は、前述のように、弾発復元力により折曲ガイド溝４１、４１による折曲部分を展開し、正面シート部２２ａを弾発復元力により上壁２５ａ及び下壁２５ｂの弧状縁壁３０ｂに沿わしめられる。
【００３６】
従って、情報表示体１７は、図８に基づき説明した従来技術のようなカバーシート７を有していない。そして、情報シート２２は、表示シート３８の表裏両面を比較的硬質の樹脂から成るラミネートシート３９により被覆しており、しかも、サンドイッチ状に溶着一体化することにより更に硬化された剛性を有する可撓性の板状シートを構成しているので、従来の柔軟なカバーシート７のように容易に傷つき曇り状となることはなく、永年使用によっても透明度と美麗な外観を維持できる。
【００３７】
（情報シートの構造及び製造方法の第１実施形態）
図６は、上述した本発明に係る情報シート２２の構造及び製造方法に関する第１実施形態を示している。図６（Ａ）に示すように、表示シート３８は、横幅Ｗ１及び縦幅Ｈ１の寸法を有する矩形（好ましくは長方形）のシート状であり、一側縁を基準位置ｓとして所定の距離ｄ１及びｄ２（但しｄ１＜ｄ２であり、ｄ２−ｄ１がベース本体２０の弧状縁壁３０ｂの周長寸法と一致する）だけ離間した個所に正面表示情報２１ａと左右側面表示情報２１ｂ、２１ｂの境界部４０、４０を位置せしめている。
【００３８】
一対のラミネートシート３９ａ、３９ｂは、それぞれ横幅Ｗ２及び縦幅Ｈ２の寸法を有する矩形（好ましくは長方形）の樹脂シートであり、表示シート３８を挟んで内包せしめる大きさ、即ち、図示のようにＷ２＞Ｗ１、Ｈ２＞Ｈ１とされる大きさに形成されており、両シート３９ａ、３９ｂの相対向する内側面に溶融樹脂層４２を積層したシート体を構成している。そして、両シート３９ａ、３９ｂの一側縁を相互に予め溶着することにより溶着線４３を備え、該溶着線４３を基準位置Ｓとしてそれぞれ前記表示シート３８における境界部の距離ｄ１及びｄ２に等しい距離Ｄ１及びＤ２だけ離間した個所に該溶着線４３と平行な折曲ガイド溝４１、４１を形成している。尚、図例の場合、折曲ガイド溝４１、４１を一対のラミネートシート３９ａ、３９ｂの両方に形成しているが、少なくとも何れか一方（表側のシート３９ａ又は裏側の３９ｂ）に形成しておけば良い。
【００３９】
そこで、位置決め工程を実施する。即ち、一対のラミネートシート３９ａ、３９ｂの間に表示シート３８を内包されるように挿入すると共に、表示シート３８の一側縁（基準位置ｓ）を両シート３９ａ、３９ｂの溶着線４３（基準位置Ｓ）に当接せしめる。この状態において、表裏のラミネートシート３９ａ、３９ｂは表示シート３８の上で捲ることにより離反自在であるが、表示シート３８の境界部４０、４０とラミネートシート３９ａ及び／又は３９ｂの折曲ガイド溝４１、４１が相互に合致せしめられている。
【００４０】
このような位置決め工程の後、ラミネート実施工程が実施される。即ち、表示シート３８を内包した一対のラミネートシート３９ａ、３９ｂを前記溶着線４３を進行方向の前向きとして一対の溶着ロール間に通過せしめることにより、表示シート３８を挟んで一対のラミネートシート３９ａ、３９ｂをサンドイッチ状に溶着一体化せしめる。表示シート３８を挟んだラミネートシート３９ａ、３９ｂは、溶着ロールに進入するや否や溶融樹脂層４２を溶融せしめると共に表示シート３８に含浸せしめ、サンドイッチ状の溶着一体化を開始し、その後、溶着ロール間における進行に伴い、内部のエアーを進行方向の後向きに排出せしめながら全面にわたる溶着一体化を実行する。この際、溶着ロール間の通過と同時又は通過の後、表示シート３８の周縁の外側においてラミネートシート３９ａ、３９ｂの周縁３９ｘが分断され廃棄される。
【００４１】
以上の工程を経ることにより形成された情報シート２２は、図６（Ｂ）（Ｃ）に示すように、溶融により含浸された樹脂接着剤層４４を介してサンドイッチ状に溶着一体化された表示シート３８の境界部４０、４０とラミネートシート３９の折曲ガイド溝４１、４１を相互に正確に合致せしめている。このため、折曲ガイド溝４１、４１を介して折曲することにより、剛性化された板状の情報シート２２を規則正しく美麗に折曲することが可能となる。
【００４２】
（情報シートの構造及び製造方法の第２実施形態）
図７は、上述した本発明に係る情報シート２２の構造及び製造方法に関する第２実施形態を示している。図７（Ａ）に示すように、表示シート３８は、横幅Ｗ１及び縦幅Ｈ１の寸法を有する矩形（好ましくは長方形）のシート状であり、一側縁を基準位置ｓとして所定の距離ｄ１及びｄ２（但しｄ１＜ｄ２であり、ｄ２−ｄ１がベース本体２０の弧状縁壁３０ｂの周長寸法と一致する）だけ離間した個所に正面表示情報２１ａと左右側面表示情報２１ｂ、２１ｂの境界部４０、４０を位置せしめており、該境界部４０、４０に沿って折曲ガイド溝４１、４１を形成している。尚、図例の場合、折曲ガイド溝４１、４１を表示シート３８の表裏両面に形成しているが、表裏面の少なくとも何れか一方の面に形成しておけば良い。
【００４３】
一対のラミネートシート３９ａ、３９ｂは、それぞれ横幅Ｗ２及び縦幅Ｈ２の寸法を有する矩形（好ましくは長方形）の樹脂シートであり、表示シート３８を挟んで内包せしめる大きさ、即ち、図示のようにＷ２＞Ｗ１、Ｈ２＞Ｈ１とされる大きさに形成されており、両シート３９ａ、３９ｂの相対向する内側面に溶融樹脂層４２を積層したシート体を構成している。そして、両シート３９ａ、３９ｂの一側縁を相互に予め溶着することにより溶着線４３を備え、該溶着線４３を基準位置Ｓとしてそれぞれ前記表示シート３８における境界部の距離ｄ１及びｄ２に等しい距離Ｄ１及びＤ２だけ離間した個所を前述した表示シート３８の折曲ガイド溝４１、４１と合致せしめられるべき境界部４０、４０としている。
【００４４】
そこで、位置決め工程を実施する。即ち、一対のラミネートシート３９ａ、３９ｂの間に表示シート３８を内包されるように挿入すると共に、表示シート３８の一側縁（基準位置ｓ）を両シート３９ａ、３９ｂの溶着線４３（基準位置Ｓ）に当接せしめる。この状態において、表裏のラミネートシート３９ａ、３９ｂは表示シート３８の上で捲ることにより離反自在であるが、表示シート３８の境界部４０、４０に形成された折曲ガイド溝４１、４１がラミネートシート３９ａ、３９ｂに予定された境界部４０、４０に合致せしめられる。
【００４５】
このような位置決め工程の後、ラミネート実施工程が実施される。即ち、表示シート３８を内包した一対のラミネートシート３９ａ、３９ｂを前記溶着線４３を進行方向の前向きとして一対の溶着ロール間に通過せしめることにより、表示シート３８を挟んで一対のラミネートシート３９ａ、３９ｂをサンドイッチ状に溶着一体化せしめる。表示シート３８を挟んだラミネートシート３９ａ、３９ｂは、溶着ロールに進入するや否や溶融樹脂層４２を溶融せしめると共に表示シート３８に含浸せしめ、サンドイッチ状の溶着一体化を開始し、その後、溶着ロール間における進行に伴い、内部のエアーを進行方向の後向きに排出せしめながら全面にわたる溶着一体化を実行する。この際、溶着ロール間の通過と同時又は通過の後、表示シート３８の周縁の外側においてラミネートシート３９ａ、３９ｂの周縁３９ｘが分断され廃棄される。
【００４６】
以上の工程を経ることにより形成された情報シート１３は、図７（Ｂ）（Ｃ）に示すように、溶融により含浸された樹脂接着剤層４４を介してサンドイッチ状に溶着一体化された表示シート３８とラミネートシート３９ａ、３９ｂの間において、それぞれに予定された境界部４０、４０を相互に合致せしめると共に、境界部４０、４０に対して折曲ガイド溝４１、４１を合致せしめられている。このため、折曲ガイド溝４１、４１を介して折曲することにより、剛性化された板状の情報シート２２を規則正しく美麗に折曲することが可能となる。
【００４７】
（係止固定手段の構成）
上記の構成とした情報表示体１７は、図１に示すように、陳列棚１０の棚板部１３に載置した状態で、係止固定手段４５により背板部１４の折返部１４ｃに係止せしめられる。
【００４８】
図２及び図３に示すように、係止固定手段４５は、ベース本体２０の背壁２３に着脱自在に取付けられるブラケット部材４６と、該ブラケット部材４６と協働して陳列棚１０における背板部１４の折返部１４ｃを着脱自在に挟持するクランプ部材４７とから構成されている。
【００４９】
ブラケット部材４７は、図３（Ａ）（Ｂ）に示すように、ベース本体２０の背壁２３に沿わしめられる基部４６ａと、該基部４６ａからほぼ水平方向に延びるアーム部４６ｂとを備えている。基部４６ａは、ベース本体２０における背壁２３のスリット３６に挿脱自在に挿通される案内リブ４８を突設すると共に、該案内リブ４８の突出端に孔３７、３７に挿脱自在に挿入される抜止部４９、４９を設けている。従って、案内リブ４８及び抜止部４９、４９を、ベース本体２０における背壁２３のスリット３６及び孔３７、３７に挿入した状態で、案内リブ４８をスリット３６に沿って上方に摺動せしめると、ブラケット部材４７の基部４６ａが背壁２３の上部に抜止状に取付けられる。
【００５０】
クランプ部材４７は、アーム部４６ｂに摺動自在なガイド孔５０を備えた摺動体５１を構成しており、アーム部４６ｂの長手方向に摺動せしめた任意の位置において、摺動体５１をアーム部４６ｂに固定するセットボルト等の固定手段５２を設けている。
【００５１】
そこで、ベース本体２０の背壁２３にブラケット部材４６の基部４６ａを取付けた状態で、アーム部４６ｂを陳列棚１０における背板部１４の折返部１４ｃに交差せしめると共に、情報表示体１７を棚板部１３に載置し、背板部１４の背後からクランプ部材４７をアーム部４６ｂに対して摺動することにより背板部１４を挟持せしめ、固定手段５２を固定すると、情報表示体１７は、所定位置に固定される。即ち、情報表示体１７は、上述のように中空の空体１９に情報シート２２を添設した軽量のものであるため、側方から商品Ｍをもたれ掛けると、棚板部１３の上で容易に遊動してしまうが、このような係止固定手段４５を設けることにより情報表示体１７の遊動を防止できる。
【００５２】
ところで、図示実施形態の場合、陳列棚１０は、図１に示すように、棚板部１３の端部１３ａと共に背板部１４の耳片１４ａ、１４ｂを支柱１１、１１の正面壁に配置した構成であるため、情報表示体１７を棚板部１３の端部１３ａ（支柱１１の正面）に位置せしめると、係止固定手段４５のアーム部４６ｂが支柱１１に干渉する虞れがある。この点に関して、上述のように、ベース本体２０は、孔３７、３７を備えた一対のスリット３６、３６を背壁１３の左右に振り分け状に設けているので、左右のスリット３６、３６から選択した一方のスリット３６に係止固定手段４５を取付けることにより、情報表示体１７を棚板部１３の端部１３ａに載置せしめた状態で、係止固定手段４５を背板部１４に固定することができるという利点がある。
【００５３】
（付加的構成）
情報表示体１７は、上述のように、ベース本体２０により構成される殻体１９の切欠空間部１８に情報シート２２を添設した中空箱形の構成であるため、内部に電球や蛍光灯や発光ダイオード等の光源を挿入することにより、中空内部から情報シート２２に対して光を照射するように構成することができる。この目的のためには、図３（Ｂ）に示すように、ベース本体２０の背壁２３に光源挿入用の窓孔５３を開設しておけば良い。
【００５４】
【発明の効果】
請求項１に記載の本発明によれば、情報表示体１７は、切欠空間部１８を有する殻体１９を構成するベース本体２０と、目視可能な情報２１を表示した情報シート２２とから成り、殻体１９の切欠空間部１８を情報シート２２により閉塞せしめることにより、全体として中空の箱形に形成されているので、安価に製造することができると共に、軽量であって取り扱いが容易であり、しかも、ベース本体２０に対して情報シート２２を取り替えることにより、長期間にわたる使用が可能である。
【００５５】
特に、本発明によれば、ベース本体２０は、背壁２３から正面側に突出する相互に平行な上壁２５ａと下壁２５ｂを設けることにより、上壁と下壁の間に切欠空間部１８を有する殻体１９を構成しており、情報シート２２は、ベース本体２０の上壁２５ａと下壁２５ｂの間に架設されると共に断面ほぼコ字形に折曲されることにより、切欠空間部１８を包囲する正面シート部２２ａ及び左右側面シート部２２ｂ、２２ｂを構成しているので、情報表示体１７が、中空箱形であり、情報の表示部分を薄いシート２２により形成したものでありながら、全体として剛性に優れており、陳列棚１０に安定設置することができるという利点がある。そして、上壁２５ａと下壁２５ｂは、それぞれ自由端縁を円弧状に形成されると共に、左右側縁を縁取る直線縁壁３０ａ、３０ａと自由端縁を縁取る弧状縁壁３０ｂを設け、該直線縁壁３０ａ、３０ａの内側に沿う溝３１を形成し、情報シート２２は、剛性のある可撓性の板状シートにより構成され、ベース本体２０の上壁２５ａ及び下壁２５ｂにおける弧状縁壁３０ｂに対応する正面シート部２２ａと直線縁壁３０ａ、３０ａに対応する左右側面シート部２２ｂ、２２ｂを備えているので、情報シート２２の左右側面シート部２２ｂ、２２ｂの上下縁を、ベース本体２０における上壁２５ａ及び下壁２５ｂの溝３１、３１に嵌入せしめた状態で、正面シート部２２ａが弾発復元力により弧状縁壁３０ｂ、３０ｂに沿わしめられる点において優れている。
【００５６】
また、請求項２に記載の本発明によれば、ベース本体２０は、背壁２３の両端に折曲自在なヒンジ手段２４ａ、２４ｂを介して上壁２５ａと下壁２５ｂを延設しており、ヒンジ手段の折曲を介して上壁及び下壁を背壁に対してほぼ直交せしめたとき、上壁２５ａ及び下壁２５ｂのそれぞれを背壁２３に対して係脱自在に固定せしめる固定支持手段３３、３３を設けた構成であるから、背壁２３に対して上壁２５ａ及び下壁２５ｂを展開した状態で多数のベース本体２０を積層状に重ね合わせることにより、嵩張らずコンパクトに保管及び運搬できるという便利があり、しかも、組立作業も容易であるという効果がある。
【００５７】
更に、請求項３に記載の本発明によれば、情報表示体１７を陳列棚１０の棚板部１３に載置した状態で、該情報表示体１７を陳列棚１０の背板部１４に係止する係止固定手段４５を備えた構成であり、係止固定手段４５は、情報表示体１７の殻体１９を構成するベース本体２０の背壁２３に着脱自在に取付けられるブラケット部材４６と、該ブラケット部材４６と協働して陳列棚１０の背板部１４を挟持するクランプ部材４７とから構成されているので、中空箱形の情報表示体１７が軽量であるにもかかわらず、側方から商品Ｍをもたれ掛けても遊動しないように棚板部１３の所定位置に設置することができるという利点があり、しかも、背板部１４をクランプ形式で挟持せしめる構成であるから、異なる厚さの背板部１４に対しても自在にアジャストできるという効果がある。
【図面の簡単な説明】
【図１】本発明の１実施形態に係る情報表示体の使用状態を示す斜視図である。
【図２】本発明の１実施形態に係る情報表示体を示しており、（Ａ）は正面側から示す斜視図、（Ｂ）は背面側から示す斜視図である。
【図３】情報表示体と係止固定手段を分解した状態を示しており、（Ａ）は正面側から示す斜視図、（Ｂ）は背面側から示す斜視図である。
【図４】ベース本体を展開せしめた状態を示しており、（Ａ）は正面側から示す斜視図、（Ｂ）は背面側から示す斜視図である。
【図５】組立状態のベース本体と情報シートを示しており、（Ａ）はベース本体を示す斜視図、（Ｂ）は情報シートを示す斜視図である。
【図６】情報シートの製造方法の第１実施形態を示しており、（Ａ）は表示シートとラミネートシートの関係を示す斜視図、（Ｂ）は溶着一体化された情報シートを示す斜視図、（Ｃ）は情報シートの折曲部分を拡大して示す断面図である。
【図７】情報シートの製造方法の第２実施形態を示しており、（Ａ）は表示シートとラミネートシートの関係を示す斜視図、（Ｂ）は溶着一体化された情報シートを示す斜視図、（Ｃ）は情報シートの折曲部分を拡大して示す断面図である。
【図８】従来の情報表示体を示しており、（Ａ）は情報表示体の斜視図、（Ｂ）はカバーシートを備えた箱体と表示シートの関係を示す斜視図である。
【符号の説明】
１０    陳列棚
１１    支柱
１２    棚手段
１３    棚板部
１４    背板部
１７    情報表示体
１８    切欠空間部
１９    殻体
２０    ベース本体
２１ａ  正面表示情報
２１ｂ  左右側面表示情報
２２    情報シート
２３    背壁
２４ａ、２４ｂ  ヒンジ手段
２５ａ  上壁
２５ｂ  下壁
２６    側壁
２７、３１  溝
３０    縁壁
３３    固定支持手段
３６    スリット
３７    孔
３８    表示シート
３９    ラミネートシート
４１    折曲ガイド溝
４５    係止固定手段
４６    ブラケット部材
４７    クランプ部材
【図１】
0003629472.tif 000002
【図２】
0003629472.tif 000003
【図３】
0003629472.tif 000004
【図４】
0003629472.tif 000005
【図５】
0003629472.tif 000006
【図６】
0003629472.tif 000007
【図７】
0003629472.tif 000008
【図８】
0003629472.tif 000009